(57)【要約】【課題】送風機の流入口を角に寄せて設けたレンジフードにおいて、省エネ性を高めることを目的とする。【解決手段】流入口１３は、下面１８の第１の角２２に寄せて開口しているレンジフード１１において、下面１８もしくは整流板２０、またはその両方に、流入口１３の外周部から整流板２０の端部まで放射状に３つの凸部が延設されており、第１の凸部２３は流入口１３の中心から第１の角２２と対向する第２の角２４に向けた直線上に配置されており、第２の凸部２５および第３の凸部２６は、流入口１３の中心から第１の角２２を含む辺に向けた直線上に位置し、第１の角２２に隣接する第３の角２７または第４の角２８と流入口１３の中心を通る２本の直線に囲まれた領域２９および３０に配置されている構成にした。【選択図】図３
2015175583.tif 000002
【特許請求の範囲】
【請求項１】
底面に流入口と、天面に流出口を備え、内部に前記流入口から吸い込んだ空気を前記流出口へ送風する送風機を備えた箱体のケーシングと、前記流入口を覆うフィルタと、前記ケーシングの前記底面を含む下面を有し、この下面を周回するように設けたフードと、前記下面との間に空間を設けて前記流入口を覆うように配置した整流板とにより構成され、前記流入口は、前記下面の第１の角に寄せて開口し、前記下面もしくは前記整流板、またはその両方に、前記流入口の外周部から前記整流板の端部まで放射状に３つの凸部が延設されており、第１の凸部は前記流入口の中心から前記第１の角と対向する第２の角に向けた直線上に配置されており、第２の凸部および第３の凸部は、前記流入口の中心から第１の角を含む辺に向けた直線上に位置し、前記第１の角に隣接する第３の角または第４の角と前記流入口の中心を通る２本の直線に囲まれた領域に配置されていることを特徴とするレンジフード。
【請求項２】
第１の凸部と第２の凸部および第３の凸部は、それぞれ中空構造に形成し、前記第１の凸部の側面には第２の角を含む辺から、また、前記第２の凸部および第３の凸部の側面には第１の角を含む辺から向けられた流入風に含まれる油分が進入するための第１の開口部と、前記第１の開口部よりも流入口側には、前記第１の凸部と第２の凸部および第３の凸部内に進入した油分が再び流出するための第２の開口部が設けられており、前記第１の凸部は下面側に寄せられ、前記第２の凸部は前記下面側から離して設けられていることを特徴とする請求項１に記載のレンジフード。
【発明の詳細な説明】
【技術分野】
【０００１】
本発明は、送風機の流入口を角に寄せて設けたレンジフードに関するものである。
【背景技術】
【０００２】
従来、この種のレンジフードは、送風機を内部に備えたレンジフードは、送風機の流入口を覆う整流板を備えることで、換気機能および油の捕集機能を実現させていた（例えば、特許文献１参照）。
【０００３】
以下、そのレンジフードについて図６を参照しながら説明する。
【０００４】
図６に示すように、レンジフード１０１は、ケーシング１０２内に送風機１０３を有する。この送風機１０３の流入口１０４を覆うように整流板１０５がケーシング１０２のフード１０６に間隔を置いて設けられる。整流板１０５は偏平断熱構造に構成されて整流板１０５の外表面に結露が発生するのを防止することを特徴とするものである。
【先行技術文献】
【特許文献】
【０００５】
【特許文献１】特開２００３−５００３３号公報
【発明の概要】
【発明が解決しようとする課題】
【０００６】
このような従来のレンジフードは、フード入り口部分の流入風の風速を高めて油の捕集性能を高めるために、狭い隙間を形成する整流板が装着されている。整流板を装着すると、フード入り口部分では、各辺に対して、法線方向に空気が流入することとなり、油の捕集性能が高まることが知られていた。しかし整流板の装着によって送風機流入口までの流路断面積が小さくなり、圧力損失や送風機流入口付近の風速が極端に高まることで、省エネ性が悪化するという課題があった。
【０００７】
また、従来のレンジフードは一側面を壁面に寄せて設置され、壁面に設けられた排気口と、レンジフードの排気口を接続することで屋外への排気を可能にしているが、この２つの排気口は一定の距離を有していなければ２つの排気口を接続することができない。そのため、レンジフードは施工の制約上、レンジフードの排気口を天面中央に寄せて配置することが求められている。
【０００８】
そこで、送風機の流入口をレンジフードの角に寄せて設けて、排気口を天面中央に寄せて配置することを検討した結果次のことが明らかになった。
【０００９】
フード入り口部分で隣り合う二辺から流入した空気の一部は、フード下面で角部と流入口の中心を結ぶ線上で衝突して流入口へ向かうものであり、流入口を中央部に設けた場合には、衝突位置は対角線上に現れていた。しかし、流入口を角に寄せると、衝突位置は流入口を近づけた角側へ偏ることとなり、整流板とフード下面で挟まれた空間では、気流の乱れが発生していた。特に、流入口を寄せた側の辺へ流入する気流が流入口を遠ざけた角側の流入口へ回り込むように集中して流れ込むという現象が生じていた。
【００１０】
この現象により、整流板と下面との空間における気流の乱れにより前記整流板の圧力損失は増加することに加えて、流入口には極端に流速が速い箇所が存在することになり、流入口を覆うフィルタの流速の２乗に比例する圧力損失は増加し、省エネ性が悪化するという新たな課題もあった。
【００１１】
そこで本発明は、上記従来の課題を解決するものであり、省エネ性を高めたレンジフードを提供することを目的とするものである。
【課題を解決するための手段】
【００１２】
そして、この目的を達成するために、本発明は、底面に流入口と、天面に流出口を備え、内部に前記流入口から吸い込んだ空気を前記流出口へ送風する送風機を備えた箱体のケーシングと、前記流入口を覆うフィルタと、前記ケーシングの前記底面を含む下面を有し、この下面を周回するように設けたフードと、前記下面との間に空間を設けて前記流入口を覆うように配置した整流板とにより構成され、前記流入口は、前記下面の第１の角に寄せて開口し、前記下面もしくは前記整流板、またはその両方に、前記流入口の外周部から前記整流板の端部まで放射状に３つの凸部が延設されており、第１の凸部は前記流入口の中心から前記第１の角と対向する第２の角に向けた直線上に配置されており、第２の凸部および第３の凸部は、前記流入口の中心から第１の角を含む辺に向けた直線上に位置し、前記第１の角に隣接する第３の角または第４の角と前記流入口の中心を通る２本の直線に囲まれた領域に配置されているという構成を有することを特徴としたレンジフードであり、これにより所期の目的を達成するものである。
【発明の効果】
【００１３】
本発明によれば、前記流入口の外周部から前記整流板の端部まで放射状に延設された３つの凸部によって、整流板と下面との空間において流入口を近づけた角側へ偏った位置で生じていた流入風同士の衝突という気流の乱れにより生じる前記整流板の圧力損失が抑制されることに加えて、前記フィルタには極端に流速が速い箇所が無くなり、流入する速度が均一になることで、流速の２乗に比例する前記フィルタの圧力損失が抑制されるので、レンジフードの省エネ性を高めるという効果を得ることができる。
【図面の簡単な説明】
【００１４】
【図１】本発明の実施の形態１のレンジフードの斜視図
【図２】本発明の実施の形態１のレンジフードを下面側から見た図
【図３】本発明の実施の形態１の整流板を外して下面側から見た図
【図４】本発明の実施の形態２の第２の凸部の斜視図
【図５】本発明の実施の形態２の整流板を外したレンジフードの第３の角周辺の斜視図
【図６】従来技術の一例の断面を示す構成図
【発明を実施するための形態】
【００１５】
本発明の請求項１記載のレンジフードは、底面に流入口と、天面に流出口を備え、内部に前記流入口から吸い込んだ空気を前記流出口へ送風する送風機を備えた箱体のケーシングと、前記流入口を覆うフィルタと、前記ケーシングの前記底面を含む下面を有し、この下面を周回するように設けたフードと、前記下面との間に空間を設けて前記流入口を覆うように配置した整流板とにより構成され、前記流入口は、前記下面の第１の角に寄せて開口し、前記下面もしくは前記整流板、またはその両方に、前記流入口の外周部から前記整流板の端部まで放射状に３つの凸部が延設されており、第１の凸部は前記流入口の中心から前記第１の角と対向する第２の角に向けた直線上に配置されており、第２の凸部および第３の凸部は、前記流入口の中心から第１の角を含む辺に向けた直線上に位置し、前記第１の角に隣接する第３の角または第４の角と前記流入口の中心を通る２本の直線に囲まれた領域に配置されているという構成を有する。
【００１６】
これにより、前記第２の角と前記第３の角を形成する辺から流入する気流と前記第２の角と前記第４の角を形成する辺から流入する気流は、前記第１の凸部によって分断されることに加えて、前記第１の角と前記第３の角を形成する辺から流入する気流と前記第２の角と前記第３の角を形成する辺から流入する気流は前記第２の凸部によって分断され、前記第１の角と前記第４の角を形成する辺から流入する気流と前記第２の角と前記第４の角を形成する辺から流入する気流は前記第３の凸部によって分断されることで、それぞれの衝突が回避できる。同時に前記第１の角と前記第３の角および前記第１の角と前記第４の角を形成する辺から流入する気流は、前記それぞれ第２の凸部と第３の凸部に沿う方向に偏向されることで、前記流入口では、前記第２の角側に引き寄せられることなく前記第１の角側にも分散して流れ込むようになる。その結果、整流板と下面との空間おいて流入口を近づけた角側へ偏った位置で生じていた流入風同士の衝突という気流の乱れにより生じる前記整流板の圧力損失が抑制されることに加えて、流入する速度が均一になることで、流速の２乗に比例する前記フィルタの圧力損失も抑制され、省エネ性が向上するという効果を有する。
【００１７】
また、請求項２記載のレンジフードは、前記第１の凸部と第２の凸部および第３の凸部は、それぞれ中空構造に形成し、前記第１の凸部の側面には前記第２の角を含む辺から、また、前記第２の凸部および第３の凸部の側面には前記第１の角を含む辺から向けられた流入風に含まれる油分が進入するための第１の開口部と、前記第１の開口部よりも前記流入口側には、前記第１の凸部と第２の凸部および第３の凸部内に進入した油分が再び流出するための第２の開口部が設けられており、前記第１の開口部は前記下面側に寄せられ、前記第２の開口部は前記下面側から離して設けられた構成にしてもよい。
【００１８】
これにより、特に前記第１の凸部と第２の凸部および第３の凸部周辺における前記下面の全周に亘っての法線方向からの流入風が、前記第１の凸部と第２の凸部および第３の凸部によって流入口方向に偏向する際に、前記流入風に含まれる油分には遠心力が生じる。その結果、前記流入風に含まれる油分は、前記第１の凸部と第２の凸部および第３の凸部の開口部１から進入して前記第１の凸部と第２の凸部および第３の凸部内に蓄積し、もしくは重力および進入時の速度を利用して前記第１の凸部と第２の凸部および第３の凸部内を経由して前記第１の凸部と第２の凸部および第３の凸部の開口部２から流出して前記整流板に落下し、前記フィルタおよび前記送風機に流れ込む油分の総量が抑制されることで、前記フィルタや前記送風機の手入れの頻度を減らしてもレンジフードの圧力損失や捕集率の悪化が抑制されるという効果を有する。
【００１９】
以下、本発明の実施の形態について図面を参照しながら説明する。
【００２０】
（実施の形態１）
図１はレンジフードの斜視図、図２はレンジフードを下面側から見た図、図３は整流板を外して下面側から見た図である。
【００２１】
図１と図２および図３で示すように、レンジフード１１は、底面１２に円形の流入口１３と、天面１４に流出口１５と、内部に前記流入口１３から吸い込んだ空気を前記流出口１５へ送風する送風機１６を備えた箱体のケーシング１７と、前記ケーシングの下面の面積をＸ方向（正面方向）へ拡張するように形成した下面１８を有し、前記下面１８を周回するように設けたフード１９と、前記下面１８との間に空間を設けて前記流入口１３を覆うように配置した整流板２０とにより構成される。前述のようにフード１９は、前記下面１８を含む底面１２を周回するように設けたものである。
【００２２】
前記流入口１３はフィルタ２１によって覆われており、レンジフード１１の施工の制約上、前記整流板２０の第１の角２２に寄せて開口し、前記下面１８に前記流入口１３の外周部から前記整流板２０の端部まで放射状に３つの凸部が延設されている。第１の凸部２３は前記流入口１３の中心から前記第１の角２２と対向する第２の角２４に向けた直線上に配置されており、第２の凸部２５および第３の凸部２６は、前記流入口１３の中心から前記第１の角２２を含む辺に向けた直線上に位置し、前記第１の角２２に隣接する第３の角２７または第４の角２８と前記流入口１３の中心を通る２本の直線上に配置している。
【００２３】
なお、本実施の形態では、前記第２の凸部２５および第３の凸部２６は、前記流入口１３の中心から前記第１の角２２を含む辺に向けた直線上に位置し、前記第３の角２７または第４の角２８と前記流入口１３の中心を通る２本の直線上に配置しているが、前記流入口１３の中心から前記第１の角２２を含む辺に向けた直線上に位置していれば、前記第２の凸部２５は前記第３の角２７と前記流入口１３の中心を通る２本の直線に囲まれた領域２９、前記第３の凸部２６は前記第４の角２８と前記流入口１３の中心を通る２本の直線に囲まれた領域３０にそれぞれ配置されていても構わない。
【００２４】
また、前記第１の凸部２３と第２の凸部２５および第３の凸部２６は全て直方体で構成され、前記下面１８上に配置されているが、前記第１の凸部２３と第２の凸部２５および第３の凸部２６の形状に特別な指定は無く、前記整流板２０上もしくは前記下面１８上と前記整流板２０上の両方に配置されていても構わない。なお、前記下面１８と前記整流板２０との空間で形成される流路を出来る限り狭めないように、前記第１の凸部２３と第２の凸部２５および第３の凸部２６の幅は狭ければ狭いほど良く、前記第１の凸部２３と第２の凸部２５および第３の凸部２６の効果を高めるためには、前記第１の凸部２３と第２の凸部２５および第３の凸部２６の突出高さは高ければ高いほど良い。
【００２５】
上記構成において、前記送風機１６を運転すると前記整流板２０と前記下面１８との空間から前記流入口１３に向けて風が流れるが、このとき前記第２の角２４寄りの前記第２の角２４と前記第３の角２７を形成する辺から流入する第１の気流３１と前記第２の角２４寄りの前記第２の角と前記第４の角を形成する辺から流入する第２の気流３２は、前記第１の凸部２３によって分断されることに加えて、前記第１の角２２と前記第３の角２７を形成する辺から流入する第３の気流３３と前記第３の角２７寄りの前記第２の角と前記第３の角を形成する辺から流入する第４の気流３４は前記第２の凸部２５によって分断され、前記第１の角と前記第４の角を形成する辺から流入する第５の気流３５と前記第４の角２８寄りの前記第２の角と前記第４の角を形成する辺から流入する第６の気流３６は前記第３の凸部２６によって分断されることで、それぞれの衝突が回避できる。
【００２６】
同時に第３の気流３３および第５の気流３５は、それぞれ前記第２の凸部２５と第３の凸部２６に沿う方向に偏向されることで、前記流入口１３では、前記第２の角２４側に引き寄せられることなく前記第１の角２２側にも分散して流れ込むようになる。
【００２７】
その結果、前記整流板２０と前記下面１８との空間において前記流入口１３を近づけた角側へ偏った位置で生じていた流入風同士の衝突という気流の乱れにより生じる前記整流板２０の圧力損失が抑制されることに加えて、流入する速度が均一になることで、流速の２乗に比例する前記フィルタ２１の圧力損失も抑制され、省エネ性が向上する。
【００２８】
なお、本実施の形態では、下面１８は底面１２の略半分の面積を有しているが、底面１２に対する下面１８の面積の比率に特に指定は無い。
【００２９】
（実施の形態２）
図４は前記第２の凸部の斜視図、図５は図４で示している第２の凸部を装着したレンジフードの第３の角周辺の斜視図である。
【００３０】
図４および図５において、図１、図２および図３と同様の構成要素については同一の符号を付し、その詳細な説明は省略する。
【００３１】
図４で示すように、前記第２の凸部２５は中空構造に形成し、前記第２の凸部２５には、前記第３の角２７を含む辺から向けられた流入風に含まれる油分が進入するための第１の開口部３７と、前記第２の凸部２５内に進入した油分が再び流出するための第２の開口部３８がそれぞれ２個設けられるように隔壁３９が設けられている。
【００３２】
図５で示すように、前記第２の開口部３８は前記第１の開口部３７よりも前記流入口１３側に設けられており、前記第１の開口部３７は前記下面１８側に寄せられ、前記第２の開口部３８は前記第１の開口部３７と比較して前記下面１８側から離して設けられている。
【００３３】
このとき、特に前記第２の凸部２５周辺における前記下面１８の全周に亘っての法線方向からの空気の流れ４０が、前記第２の凸部２５によって前記流入口１３方向に偏向する際に、前記空気の流れ４０に含まれる油分には遠心力が生じる。
【００３４】
その結果、前記第２の凸部内に進入する油分の流れ４１が生じて、前記空気の流れ４０に含まれる油分は、前記隔壁３９に衝突もしくは沿いながら前記第２の凸部２５の前記第１の開口部３７から進入して前記第２の凸部２５内に蓄積し、もしくは整流板方向４２に働く重力および進入時の速度を利用した前記第２の凸部内から流出する油分の流れ４３が生じて、前記第２の凸部２５内を経由して前記第２の凸部２５の前記第２の開口部３８から流出して前記整流板２０に落下し、前記フィルタ２１および前記送風機１６に流れ込む油分の総量が抑制されることで、前記フィルタ２１や前記送風機１６の手入れの頻度を減らしても前記レンジフード１１の圧力損失や捕集率の悪化が抑制される。
【００３５】
なお、前記第１の凸部２３および第３の凸部２６も前記第２の凸部２５と同様に構成され、図５で示すように前記第２の凸部２５と同様にそれぞれ前記レンジフード１１の前記第２の角２４および第４の角２８周辺に装着される。
【００３６】
このとき、特に前記第１の凸部２３と第３の凸部２６周辺における前記下面１８の全周に亘っての法線方向からの空気の流れ４０が、前記第１の凸部２３と第３の凸部２６によって前記流入口１３方向に偏向する際に、前記空気の流れ４０に含まれる油分には遠心力が生じる。
【００３７】
その結果、前記空気の流れ４０に含まれる油分は、前記隔壁３９に衝突もしくは沿いながら前記第１の凸部２３と第３の凸部２６の前記第１の開口部３７から進入して前記第１の凸部２３と第３の凸部２６内に蓄積し、もしくは前記整流板方向４２に働く重力および進入時の速度を利用して前記第１の凸部２３と第３の凸部２６内を経由して前記第１の凸部２３と第３の凸部２６の前記第２の開口部３８から流出して前記整流板２０に落下し、前記フィルタ２１および前記送風機１６に流れ込む油分の総量が抑制されることで、同様の効果が果たされる。
【００３８】
また、本実施の形態では、前記第１の開口部３７および第２の開口部３８をそれぞれ２設けたが、それ以上設けても構わない。例えば、前記第２の凸部２５および第３の凸部２６では、それぞれ前記第３の気流３３および第５の気流３５の方が、前記第４の気流３４および第６の気流３６よりも前記第２の凸部２５および第３の凸部２６による偏向が急であるので、前記第１の角２２を含む辺に向けられた前記第１の開口部３７を、前記第２の角２４を含む辺に向けられた前記第１の開口部３７よりも前記流入口１３側に設けることによって、より効果的に油分を補修することが可能になる。
【００３９】
なお、本実施の形態では、前記第２の開口部３８は前記第２の凸部２５の側面および前記整流板２０側の上面に設けているが、前記第２の開口部３８を前記第１の開口部３７よりも前記下面１８側から離して設けていれば、いかなる面に設けていても構わない。ただし、前記第２の開口部３８が前記流入口１３に近いほど、前記第２の凸部２５内から流出する油分が前記フィルタ２１および前記送風機１６に流れ込みやすくなるので、前記流入口１３から一定の距離を有して前記第２の開口部３８を設けたほうがよい。また、前記第２の開口部３８には隔壁３９を設けたが、油分が流出さえすれば形状には特に指定は無い。
【産業上の利用可能性】
【００４０】
本発明にかかるレンジフードは、省エネ性の向上を可能とするものである。
【符号の説明】
【００４１】
１１  レンジフード
１２  底面
１３  流入口
１４  天面
１５  流出口
１６  送風機
１７  ケーシング
１８  下面
１９  フード
２０  整流板
２１  フィルタ
２２  第１の角
２３  第１の凸部
２４  第２の角
２５  第２の凸部
２６  第３の凸部
２７  第３の角
２８  第４の角
２９  第３の角と流入口の中心を通る２本の直線に囲まれた領域
３０  第４の角と流入口の中心を通る２本の直線に囲まれた領域
３１  第１の気流
３２  第２の気流
３３  第３の気流
３４  第４の気流
３５  第５の気流
３６  第６の気流
３７  第１の開口部
３８  第２の開口部
３９  隔壁
４０  空気の流れ
４１  第２の凸部内に進入する油分の流れ
４２  整流板方向
４３  第２の凸部内から流出する油分の流れ
１０１  レンジフード
１０２  ケーシング
１０３  送風機
１０４  流入口
１０５  整流板
１０６  フード
【図１】
2015175583.tif 000003
【図２】
2015175583.tif 000004
【図３】
2015175583.tif 000005
【図４】
2015175583.tif 000006
【図５】
2015175583.tif 000007
【図６】
2015175583.tif 000008